(57)【要約】【課題】診断の精度を高める。【解決手段】表示制御部１１４は、聴診器３０を用いる操作者Ｕに対して、聴診器３０を当てるべき測定位置をガイダンスするためのガイダンス画面を表示部１０４に表示させる。記録処理部１１３は、前記測定位置を示す位置情報と、聴診器３０から出力される生体音情報とを対応付けて格納部１０３に記録する生体音測定処理を行う。非類似判定部１１２は、第１の測定位置から測定された生体音情報の波形と、前記第１の測定位置と左右対称の関係となる第２の測定位置から測定された生体音情報の波形とが非類似か否かを判定する。表示制御部１１４は、非類似判定部１１２に非類似と判定された場合、前記第１の測定位置と前記第２の測定位置との各々について前記生体音測定処理が再度行われるようにガイダンス画面を表示する。【選択図】図１
2014030625.tif 000002
【特許請求の範囲】
【請求項１】
聴診器を用いる使用者に対して、前記聴診器を当てるべき測定位置をガイダンスするガイダンス処理を実行するガイダンス部と、
前記ガイダンス部にてガイダンスされている測定位置を示す位置情報と、前記聴診器から入力している生体音情報とを対応付けて記憶装置に記録する処理である生体音測定処理を行う記録処理部と、
第１の測定位置の位置情報に対応付けられて前記記憶装置に記録される第１の生体音情報の波形と、所定の規則において前記第１の測定位置と対の関係になる測定位置である第２の測定位置に対応付けられて前記記憶装置に記録される第２の生体音情報の波形とが非類似であるか否かの非類似判定を行う非類似判定部とを備え、
前記ガイダンス部は、前記非類似判定にて非類似と判定された場合、前記第１の測定位置と前記第２の測定位置との各々について前記生体音測定処理が再度行われるように前記ガイダンス処理を行うようになっていることを特徴とする情報処理装置。
【請求項２】
前記聴診器から入力する生体音情報が異常候補であるか否かの異常判定を行う異常判定部を備え、
前記ガイダンス部は、前記所定の規則において対の関係となる両測定位置のうちの少なくとも一方の測定位置の位置情報に対応付けられて前記記憶装置に記録される生体音情報が前記異常判定部に異常候補と判定された場合、前記両測定位置の各々について前記生体音測定処理が再度行われるように前記ガイダンス処理を行うものであり、
前記非類似判定部は、前記両測定位置のうちの一方の測定位置の位置情報に対応付けられて前記記憶装置に記録される生体音情報と、前記両測定位置のうちの他方の測定位置の位置情報に対応付けられて前記記憶装置に記録される生体音情報との両方が前記異常判定部に前記異常候補ではないと判定された場合、前記両測定位置の一方を前記第１の測定位置として前記両測定位置の他方を前記第２の測定位置として前記非類似判定を行うようになっていることを特徴とする請求項１に記載の情報処理装置。
【請求項３】
前記記録処理部は、前記第１の測定位置の前記位置情報、および、前記第２の測定位置の前記位置情報の各々に、前記非類似判定の判定結果を示した非類似判定情報を対応付けて前記記憶装置に記録することを特徴とする請求項１または２に記載の情報処理装置。
【請求項４】
前記記録処理部は、前記記憶装置に記憶されている各位置情報には、各位置情報に対応付けられている生体音情報についての前記異常判定の判定結果を示した異常判定情報を対応付けて前記記憶装置に記録することを特徴とする請求項２に記載の情報処理装置。
【請求項５】
ガイダンス部が、聴診器を用いる使用者に対して、前記聴診器を当てるべき測定位置をガイダンスするガイダンス処理を実行する工程と、
記録処理部が、前記ガイダンス部にてガイダンスされている測定位置を示す位置情報と、前記聴診器から入力している生体音情報とを対応付けて記憶装置に記録する処理である生体音測定処理を行う工程と、
非類似判定部が、第１の測定位置の位置情報に対応付けられて前記記憶装置に記録される第１の生体音情報の波形と、所定の規則において前記第１の測定位置と対の関係になる測定位置である第２の測定位置に対応付けられて前記記憶装置に記録される第２の生体音情報の波形とが非類似であるか否かの非類似判定を行う工程とを含み、
前記非類似判定にて非類似と判定された場合、前記第１の測定位置と前記第２の測定位置との各々について前記生体音測定処理が再度行われるように前記ガイダンス部が前記ガイダンス処理を行うようになっている情報処理装置の制御方法。
【請求項６】
コンピュータを請求項１〜４のいずれか１項に記載の情報処理装置の各部として機能させるプログラム。
【請求項７】
請求項６に記載のプログラムを記録したコンピュータ読み取り可能な記録媒体。
【発明の詳細な説明】
【技術分野】
【０００１】
本発明は、電子聴診器によって採取された生体音情報を処理する情報処理装置、情報処理方法、制御プログラム、および、記録媒体に関するものである。
【背景技術】
【０００２】
生体（患者）から生体音（呼吸器系音、心音など）を採取し、その採取した生体音をデジタル信号（生体音情報）として出力する電子聴診器が普及している。また、電子聴診器から出力される生体音情報を解析して、生体音情報または患者の状態が異常候補（異常可能性有）であるか否かを判定する機能を有する情報処理装置も普及しており、このような機能を有する装置の例としては特許文献１〜３に示されたものが知られている。
【０００３】
また、電子聴診器によって得られる生体音情報は記録可能であるため、医師以外の使用者（操作者）が電子聴診器を用いて患者を聴診して生体音情報を記録しておき、その後に医師が前記生体音情報を再生して聴くことにより、患者の健康状態の診断を行うというような診断態様を実現できる。このような診断態様では医師以外の使用者が測定を行うことから、測定位置、各測定位置の測定順序を表示等することで使用者に測定手法をガイダンスする機能を有するシステムが開発されている。当該システムの例としては、特許文献４や特許文献５に示されたものが挙げられる。
【先行技術文献】
【特許文献】
【０００４】
【特許文献１】特開２００５−６６０４４号公報（２００５年３月１７日公開）
【特許文献２】特開２００７−１９００８２号公報（２００７年８月２日公開）
【特許文献３】特開２００８−１１３９３６号公報（２００８年５月２２日公開）
【特許文献４】特開２００１−３２７４８８号公報（２００１年１１月２７日公開）
【特許文献５】特表２０１０−５２５３６３号公報（２０１０年７月２２日公開）
【発明の概要】
【発明が解決しようとする課題】
【０００５】
ところで、医師自身が電子聴診器を使用して、ある測定位置に対して診断を行う場合、当該測定位置の生体音のみから診断を行うのではなく、当該測定位置の生体音と、当該測定位置に対して左右対称の位置関係にある測定位置（以下「対称位置」と称すことがある）の生体音とを比較する。これは、両生体音が非類似であれば何らかの異常の可能性があると考えられるからである。
【０００６】
また、医師は、ある測定位置と対称位置とについて１回ずつ測定を行って得られる両生体音を聴き比べて非類似と判断した場合、前記測定位置と対称位置との各々について再測定を行うことで、１回目の測定とは異なるタイミングの生体音を聴いてみて、非類似か否かを再検討して診断の精度を高めることが通常である。これは、１回の聴診だけでは単なるノイズ等が原因で非類似になってしまっているような事もあり得る等の理由によるものである。
【０００７】
しかし、電子聴診器の使用者が医師以外の者である場合、測定位置の生体音と対象位置の生体音とを注意深く聴き比べるような事をしない事が多いため、両生体音が非類似であったとしても再測定されないケースが多い。それゆえ、後に、医師が、ある測定位置および対象位置の生体音情報を再生して非類似だと考えても、当該測定位置および対称位置の各々について１回の聴診分のみのデータしか記録されていないことになり、再測定の生体音情報を聴くことができず、高精度な診断を行えない可能性があるという問題が生じていた。
【０００８】
本発明は、以上の問題に鑑みてなされたものであり、医師に高精度な診断を行わせることの可能な情報処理装置を提供することを目的とするものである。
【課題を解決するための手段】
【０００９】
前記の目的を達成するために、本発明の情報処理装置は、聴診器を用いる使用者に対して、前記聴診器を当てるべき測定位置をガイダンスするガイダンス処理を実行するガイダンス部と、前記ガイダンス部にてガイダンスされている測定位置を示す位置情報と、前記聴診器から入力している生体音情報とを対応付けて記憶装置に記録する処理である生体音測定処理を行う記録処理部と、第１の測定位置の位置情報に対応付けられて前記記憶装置に記録される第１の生体音情報の波形と、所定の規則において前記第１の測定位置と対の関係になる測定位置である第２の測定位置に対応付けられて前記記憶装置に記録される第２の生体音情報の波形とが非類似であるか否かの非類似判定を行う非類似判定部とを備え、前記ガイダンス部は、前記非類似判定にて非類似と判定された場合、前記第１の測定位置と前記第２の測定位置との各々について前記生体音測定処理が再度行われるように前記ガイダンス処理を行うようになっていることを特徴とする。
【００１０】
本発明の構成によれば、第１の測定位置の生体音情報と、第１の測定位置と対の関係にある第２の測定位置（第１の測定位置と左右対称の位置）の生体音情報とが非類似である蓋然性がある場合、第１の測定位置および第２の測定位置の各々について、少なくとも聴診２回分の生体音情報を再生可能になり、医師等の診断の精度を高めることができるという効果を有する。
【００１１】
また、本発明の情報処理装置は、前記構成に加え、前記聴診器から入力する生体音情報が異常候補であるか否かの異常判定を行う異常判定部を備え、前記ガイダンス部は、前記所定の規則において対の関係となる両測定位置のうちの少なくとも一方の測定位置の位置情報に対応付けられて前記記憶装置に記録される生体音情報が前記異常判定部に異常候補と判定された場合、前記の両測定位置の各々について前記生体音測定処理が再度行われるように前記ガイダンス処理を行うものであり、前記非類似判定部は、前記両測定位置のうちの一方の測定位置の位置情報に対応付けられて前記記憶装置に記録される生体音情報と、前記両測定位置のうちの他方の測定位置の位置情報に対応付けられて前記記憶装置に記録される生体音情報との両方が前記異常判定部に前記異常候補ではないと判定された場合、前記両測定位置の一方を前記第１測定位置として前記両測定位置の他方を前記第２測定位置として前記非類似判定を行うようになっていることを特徴とする。
【００１２】
本発明の構成によれば、前記所定の規則において対の関係となる両測定位置のうちの少なくとも一方の測定位置から異常の疑いがあるような生体音情報が取得された場合（異常候補と判定された場合）、前記の両測定位置の各々について、少なくとも生体音測定処理が２回ずつ行われることになる。したがって、後に、前記生体音情報を再生して診断を行う医師は、異常の候補となる異常候補位置と、異常候補位置と所定の規則において対の関係にある測定位置（異常候補と左右対称となる位置）との各々について少なくとも聴診２回分の生体音情報を聴く機会を有することになる故、診断の精度を高めることができる。
【００１３】
さらに、本発明の構成によれば、前記所定の規則において対の関係となる両測定位置から得られた両生体音情報のうちの少なくとも一方が本来は異常であるが、前記両生体音情報のいずれもが異常判定部に異常候補でないと誤って判定されるような場合、前記両生体音情報の一方と他方とが非類似判定部に非類似と判定されることで、前記の両測定位置について再度の生体音測定処理を実施させることができ、前記の両測定位置について生体音測定処理が１回づつで終了されることを防止できる。
【００１４】
また、本発明の情報処理装置において、前記記録処理部は、前記第１の測定位置の前記位置情報、および、前記第２の測定位置の前記位置情報の各々に、前記非類似判定の判定結果を示した非類似判定情報を対応付けて前記記憶装置に記録することを特徴とする。
【００１５】
この構成によれば、前記記憶装置に記録されている情報を用いて診断を行う利用者や医師に対して、前記位置情報と前記非類似判定情報との対応関係を示すことにより、要注意の測定位置（つまり前記非類似判定にて非類似と判定された生体音情報）を認識させることができるため、診断の精度を向上させることができるという効果を有する。
【００１６】
また、本発明の情報処理装置において、前記記録処理部は、前記記憶装置に記憶されている各位置情報には、各位置情報に対応付けられている生体音情報についての前記異常判定の判定結果を示した異常判定情報を対応付けて前記記憶装置に記録することを特徴とする。
【００１７】
この構成によれば、前記記憶装置に記録されている情報を用いて診断を行う利用者や医師に対して、前記位置情報と前記異常判定情報との対応関係を示すことにより、要注意の測定位置（つまり前記異常判定にて異常候補と判定された生体音情報）を認識させることができるため、診断の精度を向上させることができるという効果を有する。
【００１８】
前記の目的を達成するために、本発明の情報処理装置の制御方法は、ガイダンス部が、聴診器を用いる使用者に対して、前記聴診器を当てるべき測定位置をガイダンスするガイダンス処理を実行する工程と、記録処理部が、前記ガイダンス部にてガイダンスされている測定位置を示す位置情報と、前記聴診器から入力している生体音情報とを対応付けて記憶装置に記録する処理である生体音測定処理を行う工程と、非類似判定部が、第１の測定位置の位置情報に対応付けられて前記記憶装置に記録される第１の生体音情報の波形と、所定の規則において前記第１の測定位置と対の関係になる測定位置である第２の測定位置に対応付けられて前記記憶装置に記録される第２の生体音情報の波形とが非類似であるか否かの非類似判定を行う工程とを含み、前記非類似判定にて非類似と判定された場合、前記第１の測定位置と前記第２の測定位置との各々について前記生体音測定処理が再度行われるように前記ガイダンス部が前記ガイダンス処理を行うようになっている。
【００１９】
これにより、第１の測定位置の生体音情報と、第１の測定位置と対の関係にある第２の測定位置（第１の測定位置と左右対称の位置）の生体音情報とが非類似である蓋然性がある場合、第１の測定位置および第２の測定位置の各々について、少なくとも聴診２回分の生体音情報を再生可能になり、医師等の診断の精度を高めることができるという効果を有する。
【００２０】
さらに、前記情報処理装置は、コンピュータによって実現されてもよく、この場合には、コンピュータを前記情報処理装置の各部として機能させるプログラム、および、このプログラムを記録したコンピュータ読み取り可能な記録媒体も、本発明の範疇に入る。
【発明の効果】
【００２１】
本発明の構成によれば、医師等の診断の精度を高めることができるという効果を奏する。
【図面の簡単な説明】
【００２２】
【図１】本発明の第１の実施形態における端末装置の構成を示すブロック図である。
【図２】図１の端末装置を備える聴診システムの概要を説明するための説明図である。
【図３】背部モードの各測定位置と各測定位置の測定順序とを特定する測定番号を示した図である。
【図４】前胸部モードの各測定位置と各測定位置の測定順序とを特定する測定番号を示した図である。
【図５】図１に示した格納部に格納される測定テーブルの一例を示した説明図である。
【図６】図１の端末装置が備える表示部に表示されるガイダンス画面の例を示した図である。
【図７】図１の端末装置が備える表示部に表示されるガイダンス画面の例を示した図であり、図６の（ｆ）のガイダンス画面が表示された後に表示される画面の図である。
【図８】図１の端末装置が備える表示部に表示されるガイダンス画面の例を示した図であり、図７の（ｆ）のガイダンス画面が表示された後に表示される画面の図である。
【図９】図２の聴診システムにおける処理の流れを示したフローチャートである。
【図１０】本発明の第２の実施形態におけるガイダンス画面を示した図である。
【図１１】本発明の第２の実施形態におけるガイダンス画面を示した図であり、１回目の測定にて得られた生体音情報の波形のみならず、再測定にて得られた生体音情報の波形も表示されているガイダンス画面を示した図である。
【図１２】本発明の第３の実施形態におけるガイダンス画面を示した図である。
【発明を実施するための形態】
【００２３】
[実施の形態１]
まず、本発明の一実施形態である聴診システム（情報処理システム）の概要について、図面を参照しつつ説明する。
【００２４】
（聴診システムの概要）
図２は、本実施形態の聴診システム２００の概要を示す図である。図２に示すように、聴診システム２００は、聴診器（電子聴診器）３０と、端末装置（情報処理装置）１００と、サーバ装置４０とを含む。聴診器３０および端末装置１００は診療現場にて用いられ、サーバ装置４０は、診療現場から離れており医師の駐在するサポートセンターに設置されるコンピュータである。
【００２５】
聴診器３０と端末装置１００とは、無線または有線にて互いに通信可能に接続されており、端末装置１００とサーバ装置４０とは、インターネット等のネットワーク５０を介して互いに通信可能に接続されている。
【００２６】
本実施形態の聴診システム２００では、以下のようにして聴診が行われる。図２に示す診療現場において、操作者Ｕは、測定手順をガイダンスするガイダンス画面（図６の（ａ）〜（ｆ）の各図参照）を端末装置１００に表示させ、ガイダンス画面の内容に従って、患者Ｐに対して聴診器３０を用いて聴診を行う。具体的には、操作者Ｕは、ガイダンス画面にて指示されている測定位置（図３に示される１〜８）を聴診する。このとき、聴診器３０にて取得された生体音情報は、聴診器３０から端末装置１００へ伝送され、端末装置１００は、聴診中の生体音情報が異常候補（異常音の可能性が高い音）であるか否かを判定している。
【００２７】
そして、操作者Ｕが前記測定位置を聴診しつつガイダンス画面の録音ボタンを押すと、端末装置１００は、聴診中の生体音情報が異常候補（異常音の可能性が高い音）であるか否かを示す異常情報と、当該生体音情報と、当該生体音情報の測定位置を示す測定位置情報（後述の測定番号）とを紐付けて保存するようになっている。端末装置１００による生体音情報の録音が終了し、且つ、操作者Ｕが当該生体音情報に対応する測定位置の聴診を終えると、端末装置１００は、ガイダンス画面において次に測定すべき測定位置を表示（指示）する。以上のような手順が繰り返されることによって、予め定められている全ての測定位置（図３の１〜８）の聴診が行われ、各測定位置の生体音情報が端末装置１００に保存される。
【００２８】
その後、端末装置１００に対する操作者Ｕの操作、または、サーバ装置４０に対する医師Ｄの操作により、端末装置１００に保存された生体音情報と当該生体音情報に紐付けられる各種情報とがサーバ装置４０に送信される。医師Ｄは、生体音情報に紐付けられた測定位置情報（後述の測定番号）を確認しつつ、当該測定位置情報に紐付けられている生体音情報を再生させて視聴することにより、患者Ｐの診断を行うことができる。
【００２９】
なお、操作者Ｕは、医師以外の者であってもよい。例えば、操作者Ｕとしては、看護師等の医師以外の医療従事者、または、介護福祉士等の介護従事者が挙げられる。
【００３０】
（聴診器３０の構成）
聴診器３０は、所謂電子聴診器である。すなわち、聴診器３０のチェストピースを、測定対象である患者Ｐの胸部または背部に当てることにより、患者Ｐの生体音を取得できる。生体音の種類は、特に限定されず、例えば、心音、呼吸音、腸音である。取得した生体音は、ＡＤ変換され、デジタルの生体音情報として端末装置１００に送信され、端末装置１００において管理される。
【００３１】
（端末装置１００の構成）
端末装置１００は、聴診器３０によって取得された生体音情報を管理する機能、操作者Ｕに対してガイダンス画面を表示することで操作者Ｕに測定手順をガイダンスする機能を備える携帯型端末装置である。なお、携帯型端末装置としては、例えば、タブレット型端末、スマートフォン、ＰＤＡ（personal digital assistant）、ノートパソコン等が挙げられるが、これらに限定されるものではない。また、端末装置１００としては、使い勝手の点から携帯型端末装置が好ましいが、デスクトップ型のパーソナルコンピュータであっても勿論よい。
【００３２】
図１に示すように、端末装置１００は、通信部１０１、制御部１０２、格納部１０３、表示部１０４を備えている。
【００３３】
通信部１０１は、聴診器３０と情報の送受信を行い、また、ネットワーク５０（図２）を介してサーバ装置４０との間で情報の送受信を行うブロックである。特に、通信部１０１は、聴診器３０から生体音情報を受信する。
【００３４】
格納部１０３は、制御部１０２が実行する制御プログラム、ＯＳプログラム、アプリケーションプログラム、および、これらプログラムを実行するときに読み出す各種データを記録するものである。格納部１０３は、ハードディスク、フラッシュメモリなどの不揮発性の記憶装置によって構成される。また、格納部１０３は、通信部１０１が受信した生体音情報や、生体音情報に紐付けられる各種情報を格納する。
【００３５】
表示部１０４は、例えば、液晶ディスプレイ等の表示装置であり、患者Ｐの電子カルテ、生体音情報を管理するための画面、聴診器３０の操作者Ｕに測定手順をガイダンスするためのガイダンス画面などを表示する。また、本実施形態の表示部１０４は、タッチパネル機能を有しており、操作者Ｕは、当該タッチパネル機能を利用して端末装置１００を操作することが可能である。
【００３６】
（制御部１０２）
制御部１０２は、端末装置１００の制御を行うコンピュータである。特に、制御部１０２は、例えば図６の（ａ）〜（ｆ）の各々に示されるようなガイダンス画面１５０を表示部１０４に表示させる処理と、聴診中の生体音情報が異常候補（異常音の可能性が高い音）であるか否かを判定する処理と、当該生体音情報と異常候補であるか否かを示す異常情報と当該生体音情報の測定位置を示す測定位置情報（測定番号）とを対応付けて格納部１０３に記録する処理とを行うようになっている。
【００３７】
図１に示すように、制御部１０２は、異常判定部１１１、非類似判定部１１２、記録処理部１１３、表示制御部１１４を備える。
【００３８】
（異常判定部１１１）
異常判定部１１１は、聴診器３０から通信部１０１へ送られている生体音情報を入力し、この生体音情報が異常候補（異常音の可能性が高い音）であるか否かを判定する判定処理を行うブロックである。
【００３９】
異常判定部１１１は、周知の手法により生体音情報が異常候補か否かを判定する。周知の手法としては、生体音情報とサンプルデータとの比較によって判定を行う手法が挙げられる。例えば、異常状態のサンプルデータを格納部１０３に複数種類格納しておき、異常判定部１１１が、入力された生体音情報と各サンプルデータとを周知の波形マッチングによって類似度を求め、類似度が閾値以上になるようなサンプルデータがあれば異常候補と判定し、そのようなサンプルデータが無ければ正常（異常候補ではない）と判定するような処理が一例として挙げられる。なお、当該処理とは異なる点があるものの、生体音情報とサンプルデータとの比較によって生体音情報が異常（異常候補）か否かを判定する技術の例として特許文献３〜特許文献５が挙げられる。
【００４０】
あるいは、異常判定部１１１は、前記のようなサンプルデータを用いることなく、生体音情報の波形から導出される特徴量を求め、この特徴量から異常候補か否かを判定するようになっていてもよい。このような判定を行う手法は、例えば、本願出願人による未公開先行出願である特願２０１１−２７２７８５号に示されている。この手法を用いた判定を以下簡単に説明する。
異常判定部１１１は、生体音情報の波形の自己相関関数と、生体音情報の波形をフーリエ変換して得られる２次元スペクトルと、生体音情報の波形を所定時間毎にフーリエ変換して得られる３次元スペクトログラムとを、特徴量として求める。なお、２次元スペクトルは周波数および周波数成分を軸とし、３次元スペクトログラムは、周波数、周波数成分、時間を軸としたものである。
つぎに、異常判定部１１１は、以下の処理Ａ〜処理Ｃを行う。
処理Ａ；自己相関関数の波形が２〜５秒の周期でピークを持ち、且つ、自己相関関数の包絡線のピークの振幅値の１/４における当該ピーク幅が呼吸周期（１呼吸の期間）の１０％以下である場合は、真を出力し、そうでない場合は偽を出力する。
処理Ｂ；２次元スペクトルにおいて、２００Ｈｚ以下の周波数成分の和が全体の８０％以上であれば真を出力し、そうでない場合は偽を出力する。
処理Ｃ；３次元スペクトログラムにおいて、４００Ｈｚ以上で周波数成分に周期性があれば真を出力し、そうでない場合は偽を出力する。なお、一定量以上の信号成分が発生するタイミングが所定秒（例えば３秒）の間隔で認められれば周期性有とし、認められない場合を周期性無しとする。
異常判定部１１１は、処理Ａ〜処理Ｃの全ての出力が真であれば正常と判定し、処理Ａ〜処理Ｃの出力のうち少なくとも１つが偽であれば異常候補と判定するようになっている。
【００４１】
いずれにしても、異常判定部１１１による判定処理は、聴診器３０から入力した生体音情報が異常候補（異常を示す可能性の有る音）であるか否かを示す判定結果を出力する判定処理であればいかなる手法でも適用でき、処理内容に限定されるものではない。
【００４２】
そして、異常判定部１１１は、判定結果を示した異常音情報を、非類似判定部１１２、記録処理部１１３、表示制御部１１４へ伝送する。異常音情報は、生体音情報が異常候補であるか否かを示す情報である。
【００４３】
（非類似判定部１１２）
本実施形態では、ある測定位置の１回目の測定にて得られた生体音情報について異常判定部１１１が正常と判定し、且つ、当該測定位置に対して左右対称の関係となる位置（以下では「対称位置」と称すことがある）の１回目の測定にて得られた生体音情報についても異常判定部１１１が正常と判定した場合、非類似判定部１１２は、当該測定位置の生体音情報と当該対称位置の生体音情報とが非類似であるか否かを判定するようになっている。この理由を以下に説明する。
【００４４】
医師は、ある測定位置に対して診断を行う場合、当該測定位置の生体音のみから診断を行うのではなく、対称位置の生体音との比較結果をも考慮して診断を行う。この理由は、（ａ）ある測定位置についての生体音が変わった音であったとしても、聴診対象の患者Ｐにとって正常音に該当するケースもあり、測定位置の生体音を絶対評価するだけでは足りないことと、（ｂ）聴診対象の患者Ｐにおいて左右対象の位置関係にある器官等は太さや形状が互いに類似していることから、測定位置と対称位置とが互いに正常であれば両者の生体音は類似しているため、測定位置の生体音と対称位置の生体音との比較が正確な診断に有効であるからである。
【００４５】
すなわち、測定位置と対称位置とが正常であれば測定位置の生体音と対称位置の生体音とは互いに類似する傾向にあり、測定位置と対称位置とのうちの少なくともいずれか一方に異常の疑いがあれば、測定位置の生体音と対称位置の生体音とが互いに非類似になる傾向にある。
【００４６】
そこで、本実施形態の聴診システム２００においては、ある測定位置の１回目の測定の生体音情報と当該測定位置の対称位置の１回目の測定の生体音情報との両方が異常判定部１１１に正常と判定された場合、当該測定位置の生体音情報と当該対称位置の生体音情報とが非類似か否かを判定し、その判定結果を記録するようになっている。
【００４７】
つぎに、対称位置について説明する。本実施形態では、図３または図４に示されるように、測定番号１〜８の測定位置が設定される。ここで、ある測定位置に対する対称位置とは、人体の上部から下部へ向かう線であって人体を左側と右側とに２等分するような直線を想定した場合、当該直線を軸として当該測定位置と線対称になるような位置を指す。すなわち、対称位置とは、ある測定位置と前記線対称の関係にあることという所定の規則において、前記のある測定位置と対の関係になる測定位置といえる。したがって、測定番号１の測定位置と測定番号２の測定位置とが対の関係になり、測定番号１の測定位置は測定番号２の測定位置の対称位置になり、測定番号２の測定位置は測定番号１の測定位置の対称位置になる。同様に、測定番号３の測定位置と測定番号４の測定位置とが対の関係になり、測定番号３の測定位置は測定番号４の測定位置の対称位置になり、測定番号４の測定位置は測定番号３の測定位置の対称位置になる。また、同様に、測定番号５の測定位置と測定番号６の測定位置とが対の関係になり、測定番号５の測定位置は測定番号６の測定位置の対称位置になり、測定番号６の測定位置は測定番号５の測定位置の対称位置になる。さらに、同様に、測定番号７の測定位置と測定番号８の測定位置とが対の関係になり、測定番号７の測定位置は測定番号８の測定位置の対称位置になり、測定番号８の測定位置は測定番号７の測定位置の対称位置になる。つまり、奇数の測定番号の測定位置と、当該奇数に１を加算した偶数の測定番号の測定位置とが、左右対称の対の関係になる。
【００４８】
つぎに、非類似判定部１１２の判定処理の内容を説明する。非類似判定部１１２は、異常判定部１１１から送られてくる異常音情報に基づき、ある測定位置と当該測定位置の対象位置とのペアであって、互いに正常と判定されたペアを判定対象として検出するようになっている。
【００４９】
そして、非類似判定部１１２は、判定対象の測定位置の生体音情報と、判定対象の対称位置の生体音情報とが非類似であるか否かを判定する。
【００５０】
ここでの判定手法としては、周知の波形パターンマッチングによる判定手法を利用できる。つまり、一方の生体音情報の波形から導かれる所定の特徴量と他方の生体音情報の波形から導かれる所定の特徴量とを比較して、両特徴量の差が閾値以上であれば非類似と判定し、両特徴量の差が閾値未満であれば非類似ではないと判定するような手法が挙げられる。
【００５１】
判定手法の具体例を以下詳細に説明する。非類似判定部１１２は、判定対象の測定位置の生体音情報の波形および対称位置の生体音情報の波形の各々をフーリエ変換し、測定位置の生体音情報の波形の２次元スペクトルと、対称位置の生体音情報の波形の２次元スペクトルとを出力する。この２次元スペクトルは、周波数を横軸として周波数成分（信号強度）を縦軸としてスペクトルである。
【００５２】
つぎに、非類似判定部１１２は、出力したスペクトルの各々について、所定の周波数帯域（例えば２００Ｈｚ以下）の周波数成分の和を第１特徴量として求め、測定位置の生体音情報から得られた第１特徴量が対称位置の生体音情報から得られた第１特徴量の９０％〜１１０％の範囲から外れていれば非類似とし、９０％〜１１０％の範囲内であれば類似と判定するようになっているような判定手法が挙げられる。
【００５３】
また、非類似判定部１１２は、出力したスペクトルの各々について、所定の周波数の信号強度を第２特徴量として求め、測定位置の生体音情報から得られた第２特徴量が対称位置の生体音情報から得られた第２特徴量の９０％〜１１０％の範囲から外れていれば非類似とし、９０％〜１１０％の範囲内であれば類似と判定するようになっているような判定手法であってもよい。
【００５４】
あるいは、非類似判定部１１２は、測定位置の生体音情報から得られた第１特徴量が対称位置の生体音情報から得られた第１特徴量の９０％〜１１０％の範囲から外れ、且つ、測定位置の生体音情報から得られた第２特徴量が対称位置の生体音情報から得られた第２特徴量の９０％〜１１０％の範囲から外れている場合に、非類似と判定し、それ以外の場合に類似と判定するようになっていてもよい。
【００５５】
なお、以上の判定にて用いられる特徴量は、所定の周波数帯域（例えば２００Ｈｚ以下）の周波数成分の和や、所定周波数の信号強度等に限定されるものではなく、周知の特徴量抽出手法を用いて生体音情報の波形から導出可能であり且つ波形マッチングに利用可能な特徴量であればいかなる種類のパラメータであってもよい。
【００５６】
いずれにしても、非類似判定部１１２による判定処理は、ある測定位置の生体音情報の波形から抽出される特徴量と、当該測定位置の対称位置の生体音情報の波形から抽出される特徴量とを比較し、この比較結果に基づいて両波形が非類似か否かを判定するような波形パターンマッチングであればいかなる周知の手法をも適用でき、処理内容に限定されるものではない。
【００５７】
非類似判定部１１２は、ある測定位置の生体音情報の波形と当該測定位置の対称位置の生体音情報の波形とが非類似か否かの判定結果を示した非類似判定情報を、記録処理部１１３および表示制御部１１４へ伝送するようになっている。
【００５８】
（記録処理部１１３）
記録処理部１１３は、表示部１０４に表示されているガイダンス画面（図６参照）に示される録音ボタン５００が押されると、操作者Ｕから録音指示が入力されたものとして、通信部１０１から生体音情報を所定時間分入力し、入力した生体音情報を格納部１０３に格納するようになっている。
【００５９】
但し、記録処理部１１３は、単に生体音情報を格納部１０３に記録するだけではなく、測定位置を示す測定番号と、異常判定部１１１による判定結果（直近の判定結果）である異常音情報と、前記生体音情報と、非類似判定部１１２による判定結果である非類似判定情報とを紐付けて記録する。
【００６０】
例えば、記録処理部１１３は、録音対象となる生体音情報を格納部１０３に格納し、且つ、前記測定番号と前記異常音情報と前記非類似判定情報と前記生体音情報の識別子（ファイル番号等）とを対応付けた測定テーブルを作成して格納部１０３に格納する。
【００６１】
図４は、格納部１０３に格納されている測定テーブルの一例である。図４に示す例では、×または○を示した異常音情報が示されている。×の異常音情報は正常音であることを示し、○の異常音情報は異常音であることを示す。また、図４に示す例では、×または○を示した非類似情報が示されている。×の非類似情報は類似であることを示し、○の非類似情報は非類似であることを示している。また、図４の「音データ識別子」は生体音情報の識別子に相当する。さらに、図４に示す測定テーブルのように、被験者ＩＤ（患者のＩＤ）、被験者の属性情報、聴診日時等も、前記識別子に対応付けて記録してもよい。
【００６２】
（表示制御部１１４）
表示制御部１１４は、表示部１０４の表示制御を行うブロックである。また、本実施形態において、表示制御部１１４は、図６に示されるガイダンス画面１５０を表示部１０４に表示させることによって、聴診システム２００を用いた測定（聴診）の測定手順を操作者Ｕに対して指示（ガイダンス）するようになっている。以下、ガイダンス画面１５０を利用した測定について説明する。
【００６３】
聴診システム２００においては、測定位置および各測定位置の測定順序を示す情報が予め格納部１０３に格納されており、表示制御部１１４は、当該情報に基づいて、測定位置と当該測定位置の測定順序（順番）とを示す測定番号を設定するようになっている。例えば、背部を測定するモードである背部モードが操作者Ｕに選択される場合、表示制御部１１４は、図３に示される１〜８の測定番号を設定する。当該測定番号は、測定位置および当該測定位置の基本的な測定順序（順番）を特定する情報である。つまり、図３の各測定番号に付されている位置が各測定番号の示す測定位置であり、各測定番号の数字が基本的な測定順序を指す。すなわち、基本的には、測定番号の小さい測定位置から順に測定が行われていくようになっている。
【００６４】
なお、図３は背部モードが選択される場合の測定番号を示した図であり、前胸部を測定するモードである前胸部モードが操作者Ｕに選択される場合、表示制御部１１４は、図３ではなく、図４に示される１〜８の測定番号を設定するようになっている。但し、以下では、便宜上、背部モードが操作者Ｕに選択されることを前提として説明する。
【００６５】
操作者Ｕが、端末装置１００を操作することにより、背部モードの開始コマンドを端末装置１００へ入力すると、表示制御部１１４は、図３に示すような測定番号１〜８を設定する。そして、表示制御部１１４は、図６の（ａ）に示されるガイダンス画面１５０を表示部１０４に表示させる。ガイダンス画面１５０には、図６の（ａ）に示されるように、各測定番号に対応する測定位置に各測定番号が付された擬似人体像３００と、現時点で測定すべき位置として表示制御部１１４に指定されている測定位置（「測定指示位置」と称すこともある）を示した測定位置ボックス４００と、録音ボタン５００と、操作をガイダンスするためのメッセージ文が示されるガイダンスボックス６００と、端末装置１００が受信中の生体音情報の波形を示す受信波形ボックス７００と、録音された生体音情報の波形を示す録音波形ボックス８００と、録音波形ボックス８００に示されている生体音情報に対応する測定位置を示した録音済測定位置ボックス９００とが示されている。
【００６６】
表示制御部１１４は、ガイダンス画面１５０の測定位置ボックス４００において、現時点にて測定すべき測定位置である測定指示位置を示し、測定指示位置を操作者に伝えていることになる。なお、本実施形態においては、図６の（ａ）に示されるように、測定位置ボックス４００には、測定指示位置の測定番号と、当該測定指示位置の名称を示す文言が示されることになる。また、最初に指示される測定指示位置の測定番号は１であるため、測定開始時は、図６の（ａ）に示されるように、測定位置ボックス４００に「１」が示されている。
【００６７】
そして、操作者Ｕは、図６の（ａ）のガイダンス画面１５０のガイダンスボックス６００に示されているガイダンス（文言）に従って測定を行う。つまり、操作者Ｕは、図６の（ａ）のガイダンス画面１５０が表示されている状態において、測定番号１の位置を聴診することになる。
【００６８】
操作者Ｕが聴診を開始すると、通信部１０１が聴診器３０から生体音情報を受信する。通信部１０１が生体音情報を受信すると、表示制御部１１４は、図６の（ｂ）に示されるように、受信波形ボックス７００において受信中の生体音情報の波形を表示し、ガイダンスボックス６００において録音ボタン５００を押すことを指示するメッセージを表示する。
【００６９】
なお、通信部１０１が生体音情報を受信すると、異常判定部１１１が当該生体音信号に対して異常候補か否かの判定を行うことになるが、ここでは、異常判定部１１１が、受信中の生体音情報（測定番号１の測定位置の生体音情報）を正常（異常候補でない）と判定したものとする。
【００７０】
そして、操作者Ｕが録音ボタン５００を押すと、記録処理部１１３が生体音情報の録音を行う。録音が行われると、表示制御部１１４は、図６の（ｃ）に示すように、受信波形ボックス７００の波形表示を終了させ、代わりに、録音された生体音情報の波形を録音波形ボックス８００に表示させ、録音された生体音情報に対応する測定位置を録音済測定位置ボックス９００に表示させる。
【００７１】
その後、操作者Ｕが測定番号１に対応する測定位置の聴診を終了すると、通信部１０１は測定番号１に対応する生体音信号の受信も終了することになる。
【００７２】
以上のようにして、測定番号１に対応する生体音信号の録音が終了し、測定番号１に対応する生体音信号の受信も終了すると、表示制御部１１４は、測定番号１の次に測定させるべき測定位置を測定指示位置として、測定指示位置の測定番号を測定位置ボックス４００に表示する。
【００７３】
ここで、本実施形態では、ある測定位置（測定位置Ａとする）に対する１回目の測定にて生体音信号が異常判定部１１１にて正常と判定されると、基本的には、測定位置Ａの次に測定されるべき測定位置の測定番号は、測定位置Ａの測定番号に１を加算した番号になる。
【００７４】
したがって、以上の説明では測定番号１の測定位置の生体音情報が異常判定部１１１に正常と判定されているため、測定番号１の測定位置の次に測定される測定位置の測定番号は２である。よって、測定番号１に対応する生体音信号の録音が終了すると、表示制御部１１４は、図６の（ｃ）に示すように、測定番号２の測定位置を測定指示位置として測定位置ボックス４００に表示する。これにより、操作者Ｕに対して、測定指示位置として測定番号２が指定されることになり、操作者Ｕは、測定番号２についても、測定番号１の時と同様の操作を繰り返す。
【００７５】
（異常候補と判定された場合について）
本実施形態では、ある測定位置の１回目の測定にて生体音信号が異常判定部１１１にて異常候補と判定されると、当該測定位置と、当該測定位置に対して左右対称の関係となる測定位置（以下では「対称位置」と称す）との各々について２回づつ測定が行われるように、表示制御部１１４が測定指示位置のガイダンスを行うようになっている。この理由を以下に説明する。
【００７６】
ある測定位置について医師が診断を行う場合、当該測定位置の生体音のみから診断を行うのではなく、対称位置の生体音との比較結果をも考慮して診断を行う事は既に述べた通りである。そして、医師は、ある測定位置から検出される生体音を聴いて異常の疑いがあると考えた場合、当該測定位置と対称位置との各々について、１回ずつの聴診で済ますのではなく、再聴診（再測定）を行い、診断の精度を高める傾向にある（つまり、当該測定位置と対称位置との各々について２回ずつ測定を行う）。これは、１回の聴診だけでは単なるノイズ等が原因で正常音から離れた音になっているような事もあり得る等からである。これに対し、本実施形態の聴診システム２００においては、操作者Ｕが医師以外の者であってもよく、医師は録音データによって診断するような形態も想定されている。それゆえ、このような形態で聴診されたとしても、コンピュータによって異常候補と判定される生体音情報がある場合、当該生体音情報に対応する測定位置と、この測定位置の対称位置との各々について再測定を行って録音しておけば（２回ずつ聴診を行って録音しておけば）、後の医師の診断において精度を高めることができるのである。
【００７７】
つぎに、ある測定位置の１回目の測定において生体音信号が異常判定部１１１に異常候補と判定された場合の表示制御部１１４のガイダンス処理について説明する。
【００７８】
（偶数の測定番号の測定位置の生体音信号が異常候補の場合）
まず、測定番号が偶数の測定位置の１回目の測定にて得られた生体音情報が異常判定部１１１にて異常候補と判定された場合について説明する。
【００７９】
測定中（聴診中）の測定位置の測定番号が偶数の場合、測定中の測定位置の対称位置の測定番号は、測定中の測定位置の測定番号から１を引いた奇数番号である。それゆえ、測定番号が偶数の測定位置が測定中（聴診中）であり、且つ、当該測定位置に対する測定が１回目の場合、測定中の測定位置の対称位置の測定は終了していることになる。したがって、測定番号が偶数の測定位置の測定が終了すると、当該測定位置と当該測定位置の対称位置とについては、１回ずつ測定が終了していることになる。
【００８０】
そこで、測定番号が偶数の測定位置の１回目の測定にて生体音情報が異常判定部１１１に異常候補と判定された場合、表示制御部１１４は、当該測定位置の測定の終了後（つまり録音終了後）、当該測定位置と対称位置との各々について、１回ずつ再測定が行われるように、ガイダンスを行う。
【００８１】
つまり、表示制御部１１４は、ある偶数の測定番号（測定番号ａとする）の測定位置の１回目の測定にて得られる生体音情報が異常候補である場合、この測定の終了後、測定番号ａから１を引いた奇数の測定番号（測定番号ｂとする）の測定位置を測定指示位置として測定手順をガイダンスし、測定番号ｂの測定位置について操作者Ｕに再測定を行わせる。すなわち、測定番号ｂの測定位置をガイダンス画面１５０の測定位置ボックス４００に表示させ、操作者Ｕに録音ボタン５００を押すことを指示するガイダンスをガイダンスボックス６００に表示させることで、測定番号ｂの測定位置の再測定を操作者Ｕに行わせる（測定番号ｂの測定位置の生体音情報が録音される）。
【００８２】
その後、表示制御部１１４は、測定番号ｂの測定位置の再測定にて得られた生体音情報が異常候補と判定されたか否かに関係なく、測定番号ａの測定位置を測定指示位置として測定手順をガイダンスすることで、測定番号ａの測定位置について操作者Ｕに再測定を行わせる。すなわち、測定番号ａの測定位置をガイダンス画面１５０の測定位置ボックス４００に表示させ、操作者Ｕに録音ボタン５００を押すことを指示するガイダンスをガイダンスボックス６００に表示させることで、測定番号ａの測定位置の再測定を操作者Ｕに行わせる（測定番号ａの測定位置の生体音情報が録音される）。
【００８３】
これにより、偶数の測定番号ａの測定位置と、測定番号ａから１を引いた奇数の測定番号ｂの測定位置（対称位置）とについて、２回ずつ測定がされたことになる。その後、表示制御部１１４は、測定番号ａに１を加算した測定番号（測定番号ｃとする）の測定位置を測定指示位置として測定手順をガイダンスすることで、測定番号ｃの測定位置について操作者Ｕに１回目の測定を行わせる。
【００８４】
つぎに、測定番号が偶数の測定位置の１回目の測定において生体音情報が異常判定部１１１に異常候補と判定された場合に表示されるガイダンス画面の例を図６および図７に基づいて説明する。
【００８５】
図６の（ａ）（ｂ）（ｃ）に示すように、測定番号１の測定位置において生体音情報が正常と判定されて且つ測定が終了し、図６の（ｃ）に示すように、測定位置ボックス４００に測定番号２が示され、測定番号２について測定指示のガイダンスが開始されたものとする。操作者Ｕは、このガイダンスに従い、測定番号２の測定位置に対して聴診を開始する。
【００８６】
操作者Ｕが聴診を開始すると、通信部１０１が測定番号２の生体音情報を受信する。ここで、異常判定部１１１が、測定番号２の測定位置の生体音情報を異常候補と判定したものとする。この場合、表示制御部１１４は、図６の（ｄ）に示されるように、受信波形ボックス７００において受信中の測定番号２の生体音情報の波形を表示し、ガイダンスボックス６００において、異常音を検出した旨のメッセージと、録音ボタン５００を押すことを指示するメッセージとを表示する。
【００８７】
そして、操作者Ｕが録音ボタン５００を押すと、記録処理部１１３は受信中の生体音情報（つまり測定番号２の生体音情報）の録音を行う。録音が行われると、表示制御部１１４は、図６の（ｅ）に示すように、受信波形ボックス７００の波形表示を終了させ、直近に録音された測定番号２の生体音情報の波形を録音波形ボックス８００に表示させ、録音された生体音情報に対応する測定位置を録音済測定位置ボックス９００に表示させる。また、表示制御部１１４は、図６の（ｅ）に示すように、測定番号２の測定位置の対称位置である測定番号１の測定位置を測定位置ボックス４００に表示させ、且つ、測定番号１の再測定指示のメッセージをガイダンスボックス６００に表示させることにより、測定番号１の測定位置の再測定を操作者Ｕに指示（ガイダンス）する。
【００８８】
そして、操作者Ｕは図６の（ｅ）のガイダンス画面１５０に従って測定番号１の測定位置について再聴診を開始する。これにより、通信部１０１が測定番号１の測定位置の生体音情報を受信し、異常判定部１１１が当該生体音情報に対して異常候補か否かの判定を行う。そして、表示制御部１１４は、図６の（ｆ）に示されるように、受信波形ボックス７００に受信中の測定番号１の生体音情報の波形を表示しつつ、ガイダンスボックス６００において録音ボタン５００を押すことを指示するメッセージを表示する。
【００８９】
図６の（ｆ）に示されているガイダンス画面１５０の録音ボタン５００を操作者Ｕが押すと、記録処理部１１３は受信中の生体音情報（測定番号１の測定位置の生体音情報）の録音を行う。録音が行われると、表示制御部１１４は、図７の（ａ）に示すように、受信波形ボックス７００の波形表示を終了させ、直近に録音された測定番号１の生体音情報の波形を録音波形ボックス８００に表示させ、録音された生体音情報に対応する測定位置を録音済測定位置ボックス９００に表示させる。
【００９０】
なお、ここで録音された測定番号１の生体音情報は再測定にて得られたものであるが、図５に示すテーブルには、測定番号１の１回目の測定が既に行われていることから測定番号１が既に記録されているため、再測定の測定番号１と重複する。そこで、本実施形態では、記録処理部１１３は、再測定については、測定番号に「−（２）」を付加した番号を図５のテーブルに記録するようになっている。したがって、図５に示すように、測定番号１の測定位置に関しては、１回目の測定にて得られた生体音情報には「１」が紐付けられ、再測定にて得られた生体音情報には「１−（２）」が紐付けられることになる。
【００９１】
また、以上のようにして測定番号１の測定位置の再測定（録音）が終了すると、表示制御部１１４は、図７の（ａ）に示すように、測定番号２の測定位置を測定位置ボックス４００に表示させ、且つ、測定番号２の再測定指示のメッセージをガイダンスボックス６００に表示させることにより、測定番号２の測定位置の再測定を操作者Ｕに指示（ガイダンス）する。そして、図７の（ｂ）（ｃ）に示されるように、測定番号２についても測定番号１の時と同様に録音ボタン５００が押されることで録音が行われて再測定を終了する。
【００９２】
このようにして、偶数の測定番号２の１回目の測定時に生体音信号が異常候補と判定された場合、測定番号１の測定位置に対する再測定と測定番号２の測定位置に対する再測定とが行われ、その結果、測定番号１の測定位置と測定番号２の測定位置との各々について合計２回ずつ測定が行われることになる。
【００９３】
その後、図７の（ｃ）に示されるように、表示制御部１１４は、測定番号３の測定位置を測定位置ボックス４００に表示させることにより、測定番号３の測定位置の１回目の測定を操作者Ｕに指示（ガイダンス）する。そして、操作者Ｕが測定番号３の測定位置の聴診を開始すると、表示制御部１１４は、図７の（ｄ）に示すように、測定番号３の測定位置から得られた生体音信号の波形を受信波形ボックス７００に表示させ、録音ボタン５００を押すことを指示するメッセージをガイダンスボックス６００に表示させる。このようにして、測定番号３の測定位置についても、測定番号２までの測定位置と同様の測定が行われる。
【００９４】
（奇数の測定番号の測定位置の生体音信号が異常候補の場合）
つぎに、測定番号が奇数の測定位置の１回目の測定にて得られた生体音情報が異常判定部１１１にて異常候補と判定された場合について説明する。
【００９５】
測定中（聴診中）の測定位置の測定番号が奇数の場合、測定中の測定位置の対称位置の測定番号は、測定中の測定位置の測定番号から１を足した偶数番号である。それゆえ、測定番号が奇数の測定位置が測定中（聴診中）であり、且つ、当該測定位置に対する測定が１回目の場合、測定中の測定位置の対称位置の測定は終了していないことになる。したがって、測定番号が奇数の測定位置の１回目の測定が終了すると、当該測定位置については測定が１回終了しているが、当該測定位置の対称位置については、測定が行われていないことになる。
【００９６】
そこで、測定番号が奇数の測定位置の１回目の測定にて生体音情報が異常判定部１１１に異常候補と判定された場合、表示制御部１１４は、当該測定位置の測定の終了後（つまり録音終了後）、当該測定位置については再測定が行われ、対称位置については１回目の測定と再測定とが行われるように、ガイダンスを行う。
【００９７】
つまり、表示制御部１１４は、ある奇数の測定番号（測定番号ｅとする）の測定位置の１回目の測定にて得られる生体音情報が異常候補である場合、この測定の終了後、測定番号ｅに１を足した偶数の測定番号（測定番号ｆとする）の測定位置を測定指示位置として測定手順をガイダンスし、測定番号ｆの測定位置について操作者Ｕに１回目の測定を行わせる。すなわち、測定番号ｆの測定位置をガイダンス画面１５０の測定位置ボックス４００に表示させ、操作者Ｕに録音ボタン５００を押すことを指示するガイダンスをガイダンスボックス６００に表示させることで、測定番号ｆの測定位置の測定を操作者Ｕに行わせる（測定番号ｆの測定位置の生体音情報が録音される）。
【００９８】
その後、表示制御部１１４は、測定番号ｆの測定位置の測定にて得られた生体音情報が異常候補と判定されたか否かに関係なく、測定番号ｅの測定位置を測定指示位置として測定手順をガイダンスすることで、測定番号ｅの測定位置について操作者Ｕに再測定を行わせる。すなわち、測定番号ｅの測定位置をガイダンス画面１５０の測定位置ボックス４００に表示させ、操作者Ｕに録音ボタン５００を押すことを指示するガイダンスをガイダンスボックス６００に表示させることで、測定番号ｅの測定位置の再測定を操作者Ｕに行わせる（測定番号ｅの測定位置の生体音情報が録音される）。
【００９９】
さらに、その後、表示制御部１１４は、測定番号ｅの測定位置の再測定にて得られた生体音情報が異常候補と判定されたか否かに関係なく、測定番号ｆの測定位置を測定指示位置として測定手順をガイダンスすることで、測定番号ｆの測定位置について操作者Ｕに再測定を行わせる。すなわち、測定番号ｆの測定位置をガイダンス画面１５０の測定位置ボックス４００に表示させ、操作者Ｕに録音ボタン５００を押すことを指示するガイダンスをガイダンスボックス６００に表示させることで、測定番号ｆの測定位置の再測定を操作者Ｕに行わせる（測定番号ｆの測定位置の生体音情報が録音される）。
【０１００】
これにより、奇数の測定番号ｅの測定位置と、測定番号ｅに１を足した偶数の測定番号ｆの測定位置とについて、各々１回目の測定および再測定が行われたことになる（合計２回ずつ測定がされたことになる）。その後、表示制御部１１４は、測定番号ｆの再測定にて得られた生体音情報が異常候補と判定されたか否かに関係なく、測定番号ｆに１を加算した測定番号ｇの測定位置を測定指示位置として測定手順をガイダンスすることで、測定番号ｇの測定位置について操作者Ｕに１回目の測定を行わせる。
【０１０１】
（非類似判定部１１２に非類似と判定された場合について）
また、本実施形態では、異常判定部１１１が、ある測定位置の１回目の測定の生体音信号と、当該測定位置の対称位置の１回目の測定の生体音信号との両方を正常（異常候補ではない）と判定した場合、非類似判定部１１２は、当該測定位置の生体音信号と当該対称位置の生体音信号とが非類似か否かを判定するようになっている。そして、非類似判定部１１２が、当該測定位置の生体音信号と当該対称位置の生体音信号とを非類似と判定した場合、表示制御部１１４は、当該測定位置と当該対称位置との各々について１回ずつ再測定が行われるように（つまり合計２回づつ測定が行われるように）、ガイダンスを行う。
【０１０２】
すなわち、ある奇数の測定番号（測定番号ｇとする）の測定位置の１回目の測定にて得られる生体音情報が異常判定部１１１に正常と判定され、測定番号ｇに１を足した偶数の測定番号（測定番号ｈとする）の測定位置の１回目の測定にて得られる生体音情報も異常判定部１１１に正常と判定され、測定番号ｇの測定位置の生体音情報と測定番号ｈの測定位置の生体音情報とが非類似判定部１１２に非類似であると判定されると、表示制御部１１４は、測定番号ｇの測定位置を測定指示位置として測定手順をガイダンスすることにより、測定番号ｇの測定位置について操作者Ｕに再測定を行わせる。すなわち、測定番号ｇの測定位置をガイダンス画面１５０の測定位置ボックス４００に表示させ、操作者Ｕに録音ボタン５００を押すことを指示するガイダンスをガイダンスボックス６００に表示させることで、測定番号ｇの測定位置の再測定を操作者Ｕに行わせる。その後、表示制御部１１４は、測定番号ｇの測定位置の再測定にて得られた生体音情報が異常候補と判定されたか否かに関係なく、測定番号ｈの測定位置を測定指示位置として測定手順をガイダンスすることで、測定番号ｈの測定位置について操作者Ｕに再測定を行わせる。すなわち、測定番号ｈの測定位置をガイダンス画面１５０の測定位置ボックス４００に表示させ、操作者Ｕに録音ボタン５００を押すことを指示するガイダンスをガイダンスボックス６００に表示させることで、測定番号ｈの測定位置の再測定を操作者Ｕに行わせる。
【０１０３】
これにより、ある奇数の測定番号ｇの測定位置と、測定番号ｇに１を足した奇数の測定番号ｈの測定位置（測定番号ｇの対称位置）とについて、再測定が行われたことになる（合計２回ずつ測定がされたことになる）。
【０１０４】
その後、表示制御部１１４は、測定番号ｈに１を加算した測定番号（測定番号ｉとする）の測定位置を測定指示位置として測定手順をガイダンスすることで、測定番号ｉの測定位置について操作者Ｕに１回目の測定を行わせる。
【０１０５】
つぎに、測定番号３の生体音情報と測定番号４の生体音情報とが順に異常判定部１１１にて正常と判定され、且つ、測定番号３の生体音情報と測定番号４の生体音情報とが非類似判定部１１２にて非類似と判定される場合を想定し、この場合において、表示部１０４に表示されるガイダンス画面の例を図７および図８に基づいて説明する。
【０１０６】
図６、図７の（ａ）（ｂ）（ｃ）を用いて既に説明したように測定番号１、２の測定を終えた後、表示制御部１１４は、図７の（ｃ）に示すように、測定番号３の測定位置を測定位置ボックス４００に表示させることにより、測定番号３の測定位置の１回目の測定を操作者Ｕに指示（ガイダンス）する。そして、操作者Ｕが測定番号３の測定位置の聴診を開始すると、表示制御部１１４は、図７の（ｄ）に示すように、測定番号３の測定位置から得られた生体音信号の波形を受信波形ボックス７００に表示させ、録音ボタン５００を押すことを指示するメッセージをガイダンスボックス６００に表示させる。なお、ここで、測定番号３の測定位置の生体音情報は、異常判定部１１１に正常（異常候補ではない）と判定されたものとする。
【０１０７】
図７の（ｄ）の状態にて操作者Ｕが録音ボタン５００を押すと、記録処理部１１３は受信中の生体音情報（測定番号３の測定位置の生体音情報）の録音を行う。録音が行われると、表示制御部１１４は、図７の（ｅ）に示すように、受信波形ボックス７００の波形表示を終了させ、直近に録音された測定番号３の生体音情報の波形を録音波形ボックス８００に表示させ、録音された生体音情報に対応する測定位置を録音済測定位置ボックス９００に表示させる。
【０１０８】
また、表示制御部１１４は、図７の（ｅ）に示すように、測定番号３の測定位置の対称位置である測定番号４の測定位置を測定位置ボックス４００に表示させ、且つ、測定番号４の測定指示のメッセージをガイダンスボックス６００に表示させることにより、測定番号４の測定位置の測定を操作者Ｕに指示（ガイダンス）する。そして、操作者Ｕが測定番号３の時と同様に、測定番号４の測定位置の聴診を開始すると、表示制御部１１４は、図７の（ｆ）に示すように、測定番号４の測定位置から得られた生体音信号の波形を受信波形ボックス７００に表示させ、録音ボタン５００を押すことを指示するメッセージをガイダンスボックス６００に表示させる。なお、測定番号４の測定位置の生体音情報は、異常判定部１１１に正常（異常候補ではない）と判定されたものとする。
【０１０９】
図７の（ｆ）の状態にて操作者Ｕが録音ボタン５００を押すと、記録処理部１１３は受信中の生体音情報（測定番号４の測定位置の生体音情報）の録音を行う。
【０１１０】
ここで、本実施形態では、ある奇数の測定番号（測定番号ｊとする）の生体音情報と、当該奇数に１を足した偶数の測定番号（測定番号ｋとする）の生体音情報とが正常と判定された場合、測定番号ｋの生体音情報の録音後、非類似判定部１１２が、測定番号ｊの生体音情報と測定番号ｋの生体音情報とが非類似か否かを判定し、非類似であれば、表示制御部１１４が、測定番号ｊおよび測定番号ｋについての再測定を操作者Ｕにガイダンスするようになっている。
【０１１１】
つまり、図７の（ｆ）の状態にて操作者Ｕが録音ボタン５００を押すと、測定番号４の測定位置の生体音情報の録音が行われ、さらに、非類似判定部１１２は、測定番号３の測定位置から取得されて録音されている生体音信号と、測定番号４の測定位置から取得されて録音されている生体音情報とを格納部１０３から読み出し、読み出した両生体音情報が非類似か否かを判定する。
【０１１２】
ここで、非類似判定部１１２が、測定番号３の生体音信号と測定番号４の生体音信号とを非類似ではないと判定した場合（類似と判定した場合）、表示制御部１１４は、測定番号３および測定番号４についての再測定のガイダンスを行わず、測定番号４に１を足した測定番号５についての１回目の測定のガイダンスを行う。
【０１１３】
これに対し、非類似判定部１１２が、測定番号３の生体音信号と測定番号４の生体音信号とを非類似であると判定した場合、表示制御部１１４は、測定番号３および測定番号４について順に再測定をガイダンスするようになっている。
【０１１４】
したがって、図７の（ｆ）の状態にて操作者Ｕが録音ボタン５００を押して録音され、さらに、測定番号３の生体音信号と測定番号４の生体音信号とが非類似であると判定された場合、表示制御部１１４は、図８の（ａ）に示すように、測定番号３の測定位置を測定位置ボックス４００に表示させ、且つ、測定番号３の再測定指示のメッセージをガイダンスボックス６００に表示させることにより、測定番号３の測定位置の再測定を操作者Ｕに指示（ガイダンス）する。
【０１１５】
そして、操作者Ｕは図８の（ａ）のガイダンス画面１５０に従って測定番号３の測定位置について再聴診を開始し、通信部１０１が測定番号３の測定位置の生体音情報を受信し、異常判定部１１１が当該生体音情報に対して異常候補か否かの判定を行う。表示制御部１１４は、図８の（ｂ）に示されるように、録音波形ボックス８００に直近に録音された測定番号４の生体音情報の波形を表示し、受信波形ボックス７００に受信中の測定番号３の生体音情報の波形を表示しつつ、ガイダンスボックス６００において録音ボタン５００を押すことを指示するメッセージを表示する。
【０１１６】
図８の（ｂ）に示されているガイダンス画面１５０の録音ボタン５００を操作者Ｕが押すと、記録処理部１１３は受信中の生体音情報（測定番号３の測定位置の生体音情報）の録音を行う。録音が行われると、表示制御部１１４は、図８の（ｃ）に示すように、受信波形ボックス７００の波形表示を終了させ、直近に録音された測定番号３の生体音情報の波形を録音波形ボックス８００に表示させ、録音された生体音情報に対応する測定位置を録音済測定位置ボックス９００に表示させる。
【０１１７】
また、測定番号３の再測定にて得られた生体音情報に対する異常判定部１１１の判定結果に拘わらず、図８の（ｃ）に示すように、表示制御部１１４は、測定番号４の測定位置を測定位置ボックス４００に表示させ、且つ、測定番号４の再測定指示のメッセージをガイダンスボックス６００に表示させることにより、測定番号４の測定位置の再測定を操作者Ｕに指示（ガイダンス）する。そして、図８の（ｄ）（ｅ）に示すように、測定番号４についても測定番号３の時と同様に録音ボタン５００が押されることで録音が行われて再測定を終了する。
【０１１８】
このようにして、ある測定位置の生体音信号と、当該測定位置の対称位置の生体音信号とが、正常であるが互いに非類似と判定された場合、当該測定位置および当該対称位置の各々に対して再測定が行われ、その結果、当該測定位置および当該対称位置について２回測定が行われることになる。
【０１１９】
（聴診システム２００における処理の流れ）
次に、聴診システム２００における処理の流れの一例について図９を参照しつつ説明する。図９は聴診システム２００における処理の流れの一例を示すフローチャートである。
【０１２０】
操作者Ｕが端末装置１００に背部モードの実行指示を入力すると、制御部１０２は、ｎ＝１を設定し（Ｓ１）、測定番号ｎの測定位置を測定指示位置として設定し（Ｓ２）、測定指示位置をガイダンス画面１５０の測定位置ボックス４００に表示させるようになっている。
【０１２１】
そして、操作者Ｕがガイダンス画面１５０のガイダンスボックス６００のガイダンスに従って測定番号ｎの測定位置に対する聴診（測定）を開始する（Ｓ３）。聴診が開始されると、制御部１０２は、聴診により得られた生体音情報が異常候補か否かを判定する（Ｓ４）。
【０１２２】
Ｓ４において制御部１０２が生体音情報を異常候補であると判定した後の処理について以下説明する。
【０１２３】
制御部１０２は、生体音情報が異常候補であると判定した場合（Ｓ４においてＹＥＳ）、操作者Ｕがガイダンス画面１５０の録音ボタン５００を押す事を契機として生体音情報を録音し、生体音情報の音データ識別子と測定番号と異常音情報とを測定テーブルに記録する（Ｓ５）。なお、Ｓ５においては、生体音情報が異常候補であるため、○（異常）の異常音情報が測定番号（測定位置情報）や音データ識別子等と対応付けて測定テーブルに記録されるようになっている（図５を参照）。
【０１２４】
つぎに、制御部１０２は、測定番号ｎについてＳ３，Ｓ４，Ｓ５にて行われた処理が再測定に該当するか否かを判定する（Ｓ６）。再測定に該当する場合（Ｓ６においてＹＥＳ）、制御部１０２は、処理をＳ１６に移行させる。
【０１２５】
これに対し、測定番号ｎについてＳ３，Ｓ４，Ｓ５にて行われた処理が再測定に該当しない場合（Ｓ６においてＮＯ）、制御部１０２は、測定番号ｎの測定位置に対する対称位置の測定が済んでいるか否かを判定する（Ｓ７）。すなわち、ｎが偶数であれば対称位置の測定が済んでいることになり、ｎが奇数であれば対称位置の測定が済んでいないことになる。
【０１２６】
測定番号ｎの測定位置に対する対称位置の測定が済んでいる場合（Ｓ７にてＹＥＳ）、測定番号ｎ−１の測定位置に対する再測定と、測定番号ｎの測定位置に対する再測定とが行われる（Ｓ８）。つまり、Ｓ８では、測定番号ｎ−１（ｎ引く１）の測定位置を測定指示位置としてＳ２、Ｓ３、Ｓ４、Ｓ５（またはＳ１０）と同様の処理が行われ、その後に、測定番号ｎの測定位置を測定指示位置としてＳ２、Ｓ３、Ｓ４、Ｓ５（またはＳ１０）と同様の処理が行われることになる。
【０１２７】
また、Ｓ７において、測定番号ｎの測定位置に対する対称位置の測定が済んでいないと判定された場合（Ｓ７にてＮＯ）、測定番号ｎ＋１の測定位置に対する測定（１回目の測定）と、測定番号ｎの測定位置に対する再測定とが行われる（Ｓ９）。つまり、Ｓ９では、測定番号ｎ＋１の測定位置を測定指示位置としてＳ２、Ｓ３、Ｓ４、Ｓ５（またはＳ１０）と同様の処理が行われ、その後に、測定番号ｎの測定位置を測定指示位置としてＳ２、Ｓ３、Ｓ４、Ｓ５（またはＳ１０）と同様の処理が行われることになる。
【０１２８】
Ｓ８またはＳ９を終えると、制御部１０２は、処理をＳ１６に移行して、次に測定すべき測定位置が残っているか否かを判定する。具体的には、図３に示すように測定位置は８つあるので、ｎが８になっていれば測定すべき測定位置が残っていないことになり、ｎが７以下であれば測定すべき測定位置が残っていることになる。
【０１２９】
したがって、ｎ＝１の場合、制御部１０２は、次に測定すべき測定位置が残っていると判定することになり（Ｓ１６にてＹＥＳ）、ｎに１を加算して（Ｓ１７）、Ｓ２以降の処理を繰り返すようになっている。そして、制御部１０２は、Ｓ２以降の処理を繰り返してｎ＝８になった後でＳ１６に移行した場合、次に測定すべき測定位置が残っていないと判定し（Ｓ１６にてＮＯ）、処理を終了するようになっている。
【０１３０】
つぎに、Ｓ４において制御部１０２が生体音情報を異常候補でないと判定した後の処理について説明する。
【０１３１】
制御部１０２は、生体音情報が異常候補ではないと判定した場合（Ｓ４においてＮＯ）、つまり生体音情報が正常であると判定される場合、Ｓ５と同様、操作者Ｕがガイダンス画面１５０の録音ボタン５００を押す事を契機として生体音情報を録音し、生体音情報の音データ識別子と測定番号と異常音情報とを測定テーブルに記録する（Ｓ１０）。なお、Ｓ１０においては、生体音情報が正常であるため、×（正常）の異常音情報が測定番号（位置情報）や音データ識別子等と対応付けて測定テーブルに記録される（図５を参照）。
【０１３２】
Ｓ１０の後、制御部１０２は、Ｓ６と同様、測定番号ｎについてＳ３，Ｓ４，Ｓ１０にて行われた処理が再測定に該当するか否かを判定する（Ｓ１１）。再測定に該当する場合（Ｓ１１においてＹＥＳ）、制御部１０２は、処理をＳ１６に移行させる。
【０１３３】
これに対し、測定番号ｎについてＳ３，Ｓ４，Ｓ１０にて行われた処理が再測定に該当しない場合（Ｓ１１においてＮＯ）、制御部１０２は、ｎが偶数か否かを判定する（Ｓ１２）。すなわち、制御部１０２は、Ｓ３，Ｓ４，Ｓ１０にて行われた測定の測定番号ｎが偶数か否かを判定しているのである。
【０１３４】
Ｓ１２においてｎが偶数でないと判定される場合（Ｓ１２においてＮＯ）、制御部１０２は、処理をＳ１６に移行させる。
【０１３５】
これに対し、Ｓ１２においてｎが偶数であると判定される場合（Ｓ１２においてＹＥＳ）、制御部１０２は、測定番号ｎ−１の測定位置について再測定が行われているか否かを判定する（Ｓ１３）。なお、図５のテーブルには、再測定が行われた測定番号には「−（２）」が付されていることから、制御部１０２は図５のテーブルを参照することで再測定が行われたか否かを判定できるようになっている。この点はＳ６やＳ１１においても同様である。
【０１３６】
Ｓ１３において測定番号ｎ−１の測定位置について再測定が行われていると判定される場合（Ｓ１３にてＹＥＳ）、制御部１０２は処理をＳ１６に移行させる。
【０１３７】
これに対し、Ｓ１３において測定番号ｎ−１の測定位置について再測定が行われていないと判定される場合（Ｓ１３にてＮＯ）、制御部１０２は、測定番号ｎ−１の測定で得られた生体音情報と、測定番号ｎの測定で得られた生体音情報とが非類似か否かを判定する（Ｓ１４）。
【０１３８】
Ｓ１４において測定番号ｎ−１の測定で得られた生体音情報と測定番号ｎの測定で得られた生体音情報とが非類似ではないと判定された場合（Ｓ１４にてＮＯ）、制御部１０２は処理をＳ１６に移行させる。
【０１３９】
これに対し、Ｓ１４において測定番号ｎ−１の測定で得られた生体音情報と測定番号ｎの測定で得られた生体音情報とが非類似と判定された場合（Ｓ１４にてＹＥＳ）、測定番号ｎ−１の測定位置に対する再測定と、測定番号ｎの測定位置に対する再測定とが行われる（Ｓ１５）。つまり、Ｓ１５では、測定番号ｎ−１の測定位置を測定指示位置としてＳ２、Ｓ３、Ｓ４、Ｓ１０（またはＳ５）と同様の処理が行われ、その後に、測定番号ｎの測定位置を測定指示位置としてＳ２、Ｓ３、Ｓ４、Ｓ１０（またはＳ５）と同様の処理が行われることになる。
【０１４０】
Ｓ１５を終えると、制御部１０２は、処理をＳ１６に移行して、次に測定すべき測定位置が残っているか否かを判定し、残っていなければ図９のフローを終了することになる。
【０１４１】
以上示したフローチャートにおいて、例えばｎ＝２（偶数）であり、測定番号２の測定位置の１回目の測定にて生体音情報が異常候補と判定された場合（Ｓ４にてＹＥＳ）、Ｓ５にて測定番号２の測定位置の生体音情報が録音されることで測定番号２の測定位置の１回目の測定を終える。その後、Ｓ６にてＮＯが選択され、Ｓ７にてＹＥＳが選択され、Ｓ８において、測定番号１の測定位置の再測定と測定番号２の測定位置の再測定とが行われる。その後、Ｓ１６を経由し、Ｓ１７においてｎ＝３となり、測定番号３に対する処理へ移行することになる。このようにして、測定番号２（偶数）の測定位置の１回目の測定にて生体音情報が異常候補と判定された場合、測定番号２の測定位置と、測定番号２の対象位置である測定番号１とについて、２回ずつ測定が行われる。
【０１４２】
また、以上示したフローチャートにおいて、ｎ＝１（奇数）であり、測定番号１の測定位置の１回目の測定にて生体音情報が異常候補と判定された場合（Ｓ４にてＹＥＳ）、Ｓ５にて測定番号１の測定位置の生体音情報が録音されることで測定番号１の測定位置の１回目の測定を終える。その後、Ｓ６にてＮＯが選択され、Ｓ７にてＮＯが選択され、Ｓ９において、測定番号２の測定位置の１回目の測定と測定番号１の測定位置の再測定とが行われる。その後、Ｓ１６を経由して、Ｓ１７においてｎ＝２となる。さらにその後、Ｓ２、Ｓ３、Ｓ４、Ｓ５（またはＳ１０）を経由することで測定番号２の測定位置の再測定が行われる。そして、Ｓ５（またはＳ１０）の次にＳ６（Ｓ１１）に移行し、Ｓ６（Ｓ１１）においてＹＥＳが選択されてＳ１６に移行する。Ｓ１６へ移行した後は、Ｓ１７においてｎ＝３となり、測定番号３に対する処理へ移行することになる。このようにして、測定番号１（奇数）の測定位置の１回目の測定にて生体音情報が異常候補と判定された場合、測定番号１の測定位置と、測定番号１の対象位置である測定番号２とについて、２回ずつ測定が行われる。
【０１４３】
また、以上示したフローチャートにおいて、測定番号１（ｎ＝１）の１回目の測定においてＳ４にて異常候補でないと判定され、測定番号２（ｎ＝２）の１回目の測定においてＳ４にて異常候補でないと判定された後の処理について説明する。測定番号２についてＳ４にて異常候補でないと判定されると、Ｓ１０にて測定番号２の生体音情報が記録される。そして、ｎ＝２の１回目の測定であることから、Ｓ１１にてＮＯが選択され、且つ、Ｓ１２にてＹＥＳが選択されることになる。その後、Ｓ１３ではＮＯが選択されることになる。これは、測定番号１の１回目の測定においてＳ４にて異常候補でないと判定されていることから、測定番号１について再測定が行われていないためである。Ｓ１３でＮＯが選択された後、Ｓ１４において、測定番号１の生体音情報と測定番号２（ｎ＝２）の生体音情報とが非類似であるか否か判定されることになる。
【０１４４】
Ｓ１４において、測定番号１の生体音情報と測定番号２（ｎ＝２）の生体音情報とが非類似でない（類似である）と判定されると（Ｓ１４にてＮＯ）、Ｓ１６に移行し、その後、Ｓ１７においてｎ＝３となり、測定番号３に対する処理へ移行することになる。
【０１４５】
これに対し、Ｓ１４において、測定番号１の生体音情報と測定番号２（ｎ＝２）の生体音情報とが非類似と判定されると（Ｓ１４にてＹＥＳ）、Ｓ１５において、測定番号１の測定位置の再測定と測定番号２の測定位置の再測定とが行われる。その後、Ｓ１６を経由し、Ｓ１７においてｎ＝３となり、測定番号３に対する処理へ移行することになる。このようにして、測定番号１の生体音情報と、測定番号１と対の関係になる測定番号２の生体音情報とが非類似であると判定された場合、測定番号１および測定番号２の各々について、再測定が行われる結果、合計で２回ずつ測定が行われることになる。
【０１４６】
以上示したように、本実施形態において、表示制御部（ガイダンス部）１１４は、聴診器３０を用いる使用者に対して、現時点で聴診器３０を当てるべき測定位置（測定指示位置）をガイダンスするガイダンス処理を実行し、記録処理部１１３は、表示制御部１１４にガイダンスされている測定位置を示す測定番号（位置情報）と、聴診器３０から入力している生体音情報とを対応付けて格納部１０３に記録する処理である生体音測定処理を行うようになっている。そして、ある測定位置（第１の測定位置と称す）の位置情報に対応付けられて格納部１０３に記録される生体音情報（第１の生体音情報と称す）の波形と、第１の測定位置と左右対称の関係になる測定位置（第２の測定位置と称す）に対応付けられて格納部１０３に記録される生体音情報（第２の生体音情報と称す）の波形とが異常判定部１１１に正常と判定された場合、非類似判定部１１２は、第１の生体音情報と第２の生体音情報とが非類似であるか否かの非類似判定を行うようになっている。そして、表示制御部１１４は、前記非類似判定にて非類似と判定された場合、前記第１の測定位置と前記第２の測定位置との各々について、前記生体音測定処理が再度行われるように（再測定がおこなわれるように）、前記ガイダンス処理を行うようになっている構成である。
【０１４７】
この構成によれば、前記第１の測定位置の生体音情報と、前記第１の測定位置と対の関係にある前記第２の測定位置（第１の測定位置と左右対称の位置）の生体音情報とが非類似と判定された場合、第１の測定位置および第２の測定位置の各々について、少なくとも聴診２回分の生体音情報を再生可能になり、医師等の診断の精度を高めることができるという効果を有する。
【０１４８】
また、本実施形態では、左右対称の関係となる両測定位置のうちの少なくとも一方の測定位置に対応する生体音情報が異常判定部１１１に異常候補と判定された場合、表示制御部は、そのような両測定位置の各々について、少なくとも生体音測定処理が２回ずつ行われるように前記ガイダンス処理を行うようになっている。これにより、前記生体音情報を再生して診断を行う医師は、異常の候補となる測定位置と、この測定位置に対して左右対称の測定位置との各々について少なくとも２回以上の聴診分の生体音情報を聴く機会を有することになる故、診断の精度を高めることができる。
【０１４９】
さらに、本実施形態によれば、左右対称の関係の両測定位置から得られた両生体音情報のうちの少なくとも一方が本来は異常であるが、前記両生体音情報のいずれもが異常判定部１１１に正常と誤って判定されるような場合、前記両生体音情報の一方と他方とが非類似判定部１１２に非類似と判定されることで、前記の両測定位置について前記生体音測定処理を再度行われることができ（再測定を実施でき）、前記の両測定位置について前記生体音測定処理が１回づつで終了されることを防止できる。
【０１５０】
また、本実施形態では、記録処理部１１３は、単に生体音情報を格納部１０３に記録するだけではなく、測定位置を示す測定番号（位置情報）と、異常判定部１１１による判定結果である異常音情報（異常判定情報）と、前記生体音情報と、非類似判定部１１２による判定結果である非類似判定情報とを紐付けて記録する。それゆえ、格納部１０３に記録されている情報を用いて診断を行う利用者や医師に対して、測定番号と非類似判定情報と異常音情報との対応関係を示すことにより、要注意の測定位置を認識させることができるため、診断の精度を向上させることができるという効果を有する。
【０１５１】
また、表示制御部１１４は、図５のガイダンス画面１５０において、全ての測定位置（指示中の測定位置，未指示の測定位置，指示済の測定位置）を測定番号として擬似人体像３００上に表示している。ここで、表示制御部１１４は、異常候補と判定された生体音情報に対応する測定位置の測定番号の表示形態と、非類似と判定された生体音情報に対応する測定位置の測定番号の表示形態と、他の測定位置の測定番号の表示形態とを異ならせる形態であってもよい。また、この形態においては、異常候補と判定された測定位置（異常測定位置と称す）の対称位置の測定番号の表示形態を、前記他の測定位置の測定番号の表示形態と異ならせ、異常測定位置の測定番号の表示形態と同一にしてもよい。例えば、色を異ならせることで表示形態を異ならせてもよいし、点滅の有無によって表示形態を異ならせてもよい。これにより、操作者Ｕからすれば、聴診が行われる全測定位置のうち、異常の可能性のある測定位置を一目で把握できるという効果を奏する。
【０１５２】
また、表示制御部１１４は、操作者Ｕからの指示に応じて、図５に示すテーブルを表示部１０４に表示させるようになっていてもよい。さらに、この場合、図５に示すテーブルのうち、異常音情報が○（異常候補）になっている欄の表示色と、非類似情報が○（非類似）になっている欄の表示色と、その他の欄の表示色とを異ならせてもよい。この場合、操作者Ｕからすれば、異常の可能性のある測定位置を一目で把握できるという効果を奏する。
【０１５３】
[実施の形態２]
また、表示制御部１１４は、図１０に示されるようなガイダンス画面５５０を表示部１０４に表示させるようになっていてもよい。図１０のガイダンス画面５５０では、対の関係にある測定位置と対称位置との各々について、１回目の測定時の録音済の生体音情報の波形と、再測定時の録音済の生体音情報の波形とを同時に表示させることが可能になっている。つまり、同時に４つの波形を表示させることが可能である。
【０１５４】
具体的には、対の関係にある測定位置と対称位置との組毎に、各組に固有のガイダンス画面５５０が表示されるようになっている。そして、一組の測定位置と対称位置とについて、録音操作がされる度に、録音された生体音情報の波形が順次表示されていくようになっている。すなわち、図１０は、測定番号１および測定番号２の組に固有のガイダンス画面５５０である。そして、図１０は、測定番号１の測定位置の１回目の測定と測定番号２の測定位置の１回目の測定とが終了した後のガイダンス画面５５０であり、測定番号１の測定位置について１回目の測定時の生体音情報の波形と、測定番号２の測定位置について１回目の測定時の生体音情報の波形とが表示されている。図１１は、測定番号１の測定位置の再測定と測定番号２の測定位置の再測定とが終了した後のガイダンス画面５５０であり、測定番号１の測定位置について１回目の測定時の生体音情報の波形と再測定時の生体音情報の波形とが示され、測定番号２の測定位置について１回目の測定時の生体音情報の波形と再測定時の生体音情報の波形とが示されている。
【０１５５】
以上のように、図１０および図１１のようなガイダンス画面５５０では、ある測定位置（第１測定位置）に対応する生体音情報の波形と、当該測定位置の対称位置（第２測定位置）に対応する生体音情報の波形とが同時に示されている。それゆえ、ある測定位置の生体音情報の波形と当該測定位置の対称位置の生体音情報の波形との比較作業が容易になるというメリットがある。
【０１５６】
また、図１０および図１１のようなガイダンス画面５５０では、対の関係にある測定位置と対称位置とが２回ずつ測定された場合、これらの測定にて録音される４つの生体音情報の波形を同時表示させることができ、操作者Ｕは４つの波形を比較する作業をも容易に行えるようになっている。
【０１５７】
また、図１０および図１１に示すガイダンス画面５５０によれば、左右対称の関係にある測定位置同士のうち、左側の測定位置の生体音情報の波形を左側に表示し、右側の測定位置の生体音情報の波形を右側に表示するようになっており、操作者Ｕは左右のいずれの測定位置の波形であるかを一目で把握できるというメリットがある。
【０１５８】
[実施の形態３]
また、表示制御部１１４は、図１２に示されるようなガイダンス画面６５０を表示部１０４に表示させるようになっていてもよい。図１２のガイダンス画面６５０では、測定位置毎に、各測定位置の録音済の生体音情報の波形を表示させるボックスが示されており、各ボックスは、１回目の測定時の録音済の生体音情報の波形と、再測定時の録音済の生体音情報の波形とを示すものである。
【０１５９】
すなわち、図１２に示されるガイダンス画面６５０では、全ての測定位置についての生体音情報の波形を一括して確認できる。さらに、図１２に示すガイダンス画面５５０においても、左右対称の関係にある測定位置同士のうち、左側の測定位置の生体音情報の波形を左側に表示し、右側の測定位置の生体音情報の波形を右側に表示するようになっており、操作者Ｕは左右のいずれの測定位置の波形であるかを一目で把握できるというメリットがある。
【０１６０】
[ソフトウェアの実現例]
最後に、制御部１０２の各ブロックは、集積回路（ＩＣチップ）上に形成された論理回路によってハードウェア的に実現してもよいし、ＣＰＵ（Central Processing Unit）を用いてソフトウェア的に実現してもよい。
【０１６１】
後者の場合、制御部１０２は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである制御部１０２の制御プログラムのプログラムコード（実行形式プログラム、中間コードプログラム、ソースプログラム）をコンピュータで読み取り可能に記録した記録媒体を、上記制御部１０２に供給し、そのコンピュータ（またはＣＰＵやＭＰＵ）が記録媒体に記録されているプログラムコードを読み出し実行することによっても、達成可能である。
【０１６２】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１６３】
また、制御部１０２を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１６４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６５】
本発明は、電子聴診器から出力された生体音情報を処理・管理する情報処理装置に利用できる。
【符号の説明】
【０１６６】
３０    聴診器
１００    端末装置（情報処理装置）
１０２    制御部
１０３    格納部
１０４    表示部
１１１    異常判定部
１１２    非類似判定部
１１３    記録処理部
１１４    表示制御部（ガイダンス部）
２００    聴診システム
【図１】
2014030625.tif 000003
【図２】
2014030625.tif 000004
【図３】
2014030625.tif 000005
【図４】
2014030625.tif 000006
【図５】
2014030625.tif 000007
【図６】
2014030625.tif 000008
【図７】
2014030625.tif 000009
【図８】
2014030625.tif 000010
【図９】
2014030625.tif 000011
【図１０】
2014030625.tif 000012
【図１１】
2014030625.tif 000013
【図１２】
2014030625.tif 000014